(57)【要約】【課題】基板に取り付けられるコネクタの付け替えによる不正用基板の取り付けなどの不正行為を防止することができる遊技機を提供することを目的とする。【解決手段】ドア中継基板６０を内部に収納する基板ケース７０を構成する上板ケース８０及び下板ケース９０の一端側の接合部８６、９５同士は、両上板ケース８０及び下板ケース９０の組付けを固定する封印部材Ｐを使用して締結固定し、上板ケース８０及び下板ケース９０の他端側は、両ケース８０、９０を開閉自在に支持する開閉支持機構９９を備える。【選択図】        図７
2008206708.tif 000002
【特許請求の範囲】
【請求項１】
基板用の基板ケースの内部に収納されるとともに、メイン基板に対して電気的接続された配線ケーブルが取り付けられた第１のコネクタと、各種の操作ボタンの作動状態を電気的に伝達する配線ケーブルが取り付けられた第２のコネクタとが配設された中継基板と、遊技者による所定の遊技操作に応じて回転するリールを内部に備え、当該リールの有効ライン上に停止表示された図柄の組み合わせに応じて所定の遊技媒体を払い出す遊技機において、
前記基板ケースは、
薄板状の略箱型に形成されるとともに、前記中継基板に配設された前記第１のコネクタの上側に配置される第一のケースと、前記中継基板の下側に配置される第二のケースとにより構成され、
前記第一のケースには、
前記中継基板に配設された第１のコネクタに対する配線ケーブルの接続方向と対向する当該第１のコネクタの直上領域及び周囲を覆うように形成された覆い部が設けられることを特徴とする遊技機。
【請求項２】
前記第一のケースを構成する側板部の一部であって、前記中継基板に設けられた第１のコネクタの配設位置と離隔する位置には、当該第１のコネクタに接続された配線ケーブルを引き出すための引き出し口として機能する開口部が形成されていることを特徴とする請求項１に記載の遊技機。
【請求項３】
前記基板ケースを構成する前記第一のケースと前記第二のケースは、前記中継基板を内部に収納した状態で組み付けられるとともに、前記第一のケースと前記第二のケースとが組み付けられる一方の接合部には、互いの一方の接合部を締結固定する締結固定部材が設けられるとともに、前記第一のケースと前記第二のケースとが組み付けられる他方の接合部には、前記第一のケースと前記第二のケースとを開閉自在に支持する開閉支持機構を備えることを特徴とする請求項１または２に記載の遊技機。
【発明の詳細な説明】
【技術分野】
【０００１】
この発明は、遊技媒体（メダル・パチンコ玉）を用いて遊技を行なうことが可能なパチスロ機やパチンコ機などの遊技機に関する。
【背景技術】
【０００２】
従来より、メダルの投入若しくはＢＥＴボタンの押下後にスタートレバーを操作して機械的回転リール（以下、リールと記載する）を回転駆動させるとともに、各リールに対応したストップボタンを押下操作することによって各リールを停止させ、リール表示窓内に停止された図柄の組合せに応じてメダルを払い出すパチスロ機と呼ばれる遊技機が知られている。
【０００３】
このパチスロ機の場合、メダル投入口から１〜３枚のメダルが投入されスタートレバーが操作されると、リールを回転駆動させて複数の図柄を変動させるとともに、遊技者によるストップボタンの押下操作に応じて、回転している図柄を停止表示させ、入賞役図柄の組合せが有効ライン上に停止表示された場合には、入賞役に応じた所定枚数のメダルをメダル払出口から払い出す。
【０００４】
また、このパチスロ機の内部には、パチスロ機の制御を行なう主制御基板、画像表示や音声出力などの遊技演出を制御する副制御基板やその他、複数の基板（例えば、図柄表示基板、押しボタン基板、リール停止基板、ＬＥＤ基板、ドア中継基板など）が設けられている。例えば、主制御回路の場合には、内部の基板を保護したり、第三者によるＲＯＭや基板の入れ替え（交換）などの不正行為を防止するために、基板を内部に収納した状態で半透明な保護カバー（基板ケース）内に組み付けられている。
【０００５】
すなわち、従来からパチスロ機で使用される基板用の基板ケースは、内部に収納した基板を保護する目的とコネクタの抜き差し（入れ換え）や基板の交換などによる不正行為を防止するために、上板ケース及び下板ケースとから構成され、基板を内部に収納した状態で、両者のケースを閉塞した状態で組み付けている。
【０００６】
この種の基板を内部に収納する基板ケースに関する従来技術としては、基板ケースの一部に開口部を形成し、この開口部を介して、基板の熱を外部に放出する放熱ブロックを露出させる基板ケースを備えた遊技機について開示されている。（特許文献１参照）。この基板ケースの場合、基板から発生した熱は開口部を通じて、基板ケースの外部に露出している放熱ブロックを伝わって放出することができる。また、開口部には、放熱ブロックが位置しているので、開口部を利用してコネクタを差し替えるなどの不正行為を防止することができる。
【０００７】
【特許文献１】特開２００３−０９３６９８号公報
【発明の開示】
【発明が解決しようとする課題】
【０００８】
しかしながら、上述した従来の基板を内部に収納した状態で組み付ける基板ケースの場合、基板に取り付けられるコネクタに対しては、何らコネクタの抜き差しや入れ替えなどの不正行為を防止するための対策が施されていないという問題がある。すなわち、図１１に示すように、従来の基板ケース７０ａは、内部に基板を収納した状態で組み付けられているため、基板に対する保護機能を有するとともに、第三者による不正基板などとの交換を困難とする構成となっているが、この基板に取り付けられるコネクタの周囲には、コネ
クタの抜き差しを行なうための開口部７０ｂが形成されている。
【０００９】
また、コネクタの抜き差し方向は、抜き差しが容易な真上からの方向となっている。このため、このように構成された基板ケース７０ａは、コネクタの抜き差しが容易に行なえるため、コネクタを付け替えたり、この付け替えにより正規の基板ではない不正基板を接続されたりする恐れがある。また、基板のコネクタが開口部から露出することから、コネクタの差込み口を埋めるなどの悪質な悪戯が行なわれる場合がある。さらに、従来では、基板のコネクタから延出される配線ケーブルの引き回しについては何ら考慮されてはいないため、配線の引き回しが乱雑となったりバラツキが生じるなどの問題がある。
【００１０】
また、上述した従来例以外にも、基板ケースを構成する上板ケースと下板ケースとの組み付け時に、これら上板ケース及び下板ケースとが接合している複数の接合箇所を、複数のタイラップなどの封印部材で締結固定することで、基板のコネクタの不正な取り外しなどを防止する不正防止対策が施された基板ケースの構造も提案されている。ここで、このように複数の封印部材を設けることで、基板ケースが容易に分解されることを防止することができ、これにより、セキュリティを向上させることができるが、この一方、作業員が機種交換時などにコネクタを外したり基板を交換する際には、複数の封印部材をその都度、切断して取り外す必要があるため、作業が面倒になるという問題がある。
【００１１】
また、特許文献１に開示された従来公報の場合、基板ケースの外部に開口部から露出させた放熱部材により基板の熱を放出することができ、この熱を放出する開口部には放熱ブロックを配置しているため、不正行為を防止する構造となっているが、従来の基板ケースと同様に、基板に設けているコネクタに対しては、コネクタの付け替えなどによる不正行為を防止する対策が何ら施されていないという問題がある。
【００１２】
そこで、この発明は、上述した従来技術の課題を解決するためになされたものであり、基板に設けられたコネクタに対する不正を目的とした付け替えや不正用基板の取り付けなどの不正行為を防止するとともに、作業員による基板の交換などを容易に行なうことができる基板ケースを提供することを目的とする。
【課題を解決するための手段】
【００１３】
上述した課題を解決し、目的を達成するため、請求項１に係る発明は、基板用の基板ケースの内部に収納されるとともに、メイン基板に対して電気的接続された配線ケーブルが取り付けられた第１のコネクタと、各種の操作ボタンの作動状態を電気的に伝達する配線ケーブルが取り付けられた第２のコネクタとが配設された中継基板と、遊技者による所定の遊技操作に応じて回転するリールを内部に備え、当該リールの有効ライン上に停止表示された図柄の組み合わせに応じて所定の遊技媒体を払い出す遊技機において、前記基板ケースは、薄板状の略箱型に形成されるとともに、前記中継基板に配設された前記第１のコネクタの上側に配置される第一のケースと、前記中継基板の下側に配置される第二のケースとにより構成され、前記第一のケースには、前記中継基板に配設された第１のコネクタに対する配線ケーブルの接続方向と対向する当該第１のコネクタの直上領域及び周囲を覆うように形成された覆い部が設けられることを特徴とする。
【００１４】
請求項１に係る発明によれば、中継基板を内部に収納する基板ケースは、中継基板に配設された第１のコネクタの上側に配置される第一のケースと、中継基板の下側に配置される第二のケースとにより構成され、第一のケースには、中継基板に配設された第１のコネクタに対する配線ケーブルの接続方向と対向する当該第１のコネクタの直上領域及び周囲を覆うように形成された覆い部が設けられる構成としているので、基板ケースの内部に収納した中継基板に配設された第１のコネクタに対する不正を目的としたコネクタの抜き差しや付け替えを防止するとともに、不正基板を取り付けるなどの不正行為を確実に防止す
ることができ、これによって、セキュリティを向上させることができる。
【００１５】
また、請求項２に係る発明は、上記発明において、前記第一のケースを構成する側板部の一部であって、前記中継基板に設けられた第１のコネクタの配設位置と離隔する位置には、当該第１のコネクタに接続された配線ケーブルを引き出すための引き出し口として機能する開口部が形成されていることを特徴とする。
【００１６】
また、請求項２に記載の発明によれば、第一のケースを構成する側板部には、第１のコネクタに接続された配線ケーブルが引き出される開口部が形成され、この開口部が形成された位置は、中継基板に設けられた第１のコネクタの配設位置と離隔する離れた位置となっているので、第三者が不正を目的として第１のコネクタに接続された配線ケーブルの抜き差しを行なう場合に、この配線ケーブルの取り外しや付け替え作業をより困難とすることができる。
【００１７】
また、第１のコネクタに接続された配線ケーブルの引き出し口は、この側板部の一部に形成された開口部のみとなるため、配線ケーブルの引き出し口を限定することができ、これによって、メイン基板に接続するために配線される配線ケーブルのバラツキを防止することができる。
【００１８】
また、請求項３に係る発明は、上記発明において、前記基板ケースを構成する前記第一のケースと前記第二のケースは、前記中継基板を内部に収納した状態で組み付けられるとともに、前記第一のケースと前記第二のケースとが組み付けられる一方の接合部には、互いの一方の接合部を締結固定する締結固定部材が設けられるとともに、前記第一のケースと前記第二のケースとが組み付けられる他方の接合部には、前記第一のケースと前記第二のケースとを開閉自在に支持する開閉支持機構を備えることを特徴とする。
【００１９】
本発明によれば、第一のケースと第二のケースとを組み付ける場合に、両ケースの一方の接合部は、互いの一方の接合部同士を締結する締結固定部材により固定され、第一のケースと第二のケースの他方の接合部には、両ケース同士の開閉を支持する開閉支持機構を備えるので、締結固定部材による締結により基板ケース内部に収納した基板に対するコネクタの抜き差しや不正基板を取り付けるなどの不正行為を防止することができるうえ、開閉支持機構により作業員などによる基板交換などの場合には、１箇所に設けられた締結固定部材による締結を解除するだけで、第一のケースと第二のケースとの組み付けを開放させることができ、これによって、作業効率を向上させることができる。
【発明の効果】
【００２０】
本発明によれば、基板に取り付けられたコネクタの抜き差しやコネクタを付け替えて正規の基板とは異なる基板を取り付けるなどの不正行為を防止することが可能になる。
【発明を実施するための最良の形態】
【００２１】
以下に添付図面を参照して、本発明に係る遊技機の好適な実施例を詳細に説明する。なお、本発明はメダル、コイン、遊技球またはトークン等を遊技媒体として用いる各種遊技機に適用することができるが、ここでは本発明をメダルを遊技媒体として用いるパチスロ機に適用した場合を示すこととする。
【実施例１】
【００２２】
先ず、図１〜図３を用いて、本実施例に係るパチスロ機１の全体構成について説明する。図１は、本実施例に係るパチスロ機１の概要および外観構成を示す正面図である。また、図２は、パチスロ機１の前面ドア４の裏面を示す正面図である。また、図３は、キャビネット３の内部構成を示す側面図である。
【００２３】
図１〜図３に示すように、パチスロ機１の本体部１ａを形成している筐体２は、箱状のキャビネット３と、このキャビネット３の開口を開閉する前面ドア４とを備える。また、パチスロ機１の前面ドア４のほぼ中央部には、矩形状に形成された開口部５が設けられ、この開口部５に前面ドア４の内側（裏面側）から取り付け固定されたメインリール１０が装着されている。
【００２４】
また、開口部５の周囲は、台座部２０と連続するリール窓枠体６として形成されており、このリール窓枠体６に設けられた３つの窓枠表示領域７Ｌ，７Ｃ，７Ｒを通じてメインリール１０を構成する複数のリール１１Ｌ，１１Ｃ，１１Ｒの動作やリール上に描かれている図柄が視認できるようになっている。
【００２５】
メインリール１０は、複数種類の図柄（図示せず）が各々の外周面に描かれた３個のリール１１Ｌ，１１Ｃ，１１Ｒが回転自在に並列状態（横一列）で設けられており、各リール１１Ｌ，１１Ｃ，１１Ｒは、ステッピングモータなどの駆動モータ１８Ｌ，１８Ｃ，１８Ｒ(図１０)により縦方向に回転する。
【００２６】
また、窓枠表示領域７Ｌ，７Ｃ，７Ｒの各領域には、水平方向にトップライン１２ｂ、センタライン１２ｃ及びボトムライン１２ｄの表示ラインが設けられ、斜め方向にクロスアップライン１２ａ及びクロスダウンライン１２ｅの表示ラインが設けられており、遊技者が、台座部２０に設けられたＭＡＸＢＥＴボタン２４ｃを押下操作するか又はメダル投入口２１に３枚のメダルを投入すると、５本の表示ライン（ライン１２ａ〜１２ｅ）が有効となり、遊技者がメダル投入口２１に１枚又は２枚のメダルを投入した場合には、それぞれ１本（センタライン１２ｃ）又は３本（トップライン１２ｂ、センタライン１２ｃ及びボトムライン１２ｄ）の表示ラインが有効となる。
【００２７】
また、このメインリール１０には、リール１１Ｌ，１１Ｃ，１１Ｒの周囲を覆うように構成されたリール収容カバー１３（図２）が設けられ、このリール収容カバー１３により、各リール１１Ｌ，１１Ｃ，１１Ｒを保護することとしている。リール収容カバー１３は、全体が略円弧型に形成された主カバー部１３ａと一対の側面カバー部１３ｂとにより構成されている。すなわち、メインリール１０は、リール収容カバー１３に保護された状態で、前面ドア４の前面ドアベース板３ａの裏面側に取り付けネジ(図示せず)を使用して固定されている。
【００２８】
また、リール収容カバー１３を構成する主カバー部１３ａには、３箇所の挿通口１３ｃおよび通孔１３ｄがそれぞれ形成されている。このうち３箇所の挿通口１３ｃは、主制御回路７１(図３)から延出された３本のハーネス（図示せず）の先端部を挿通させて、リール収容カバー１３の内部に設けた駆動モータ１８Ｌ，１８Ｃ，１８Ｒを制御するためのリール制御基板（図示せず）に接続するために形成されている。また、通孔１３ｄは、遊技店の係員などが、この通孔１３ｄを通じて各リール１１Ｌ，１１Ｃ，１１Ｒを目視により確認したり、手で直接動かして回転させるために形成されている。
【００２９】
また、このリール収容カバー１３により保護されたメインリール１０の下方位置には、ドア中継基板６０（図４）を内部に収納した基板ケース７０が取り付けられている。このドア中継基板６０を内部に設けた基板ケース７０は、前面ドア４の裏面部（前面ドアベース板３ａ）に固設されたガイド板(図示せず)に両側が位置決めされた状態で取り付けネジにより取り付け固定されている。
【００３０】
ドア中継基板６０は、複数の操作ボタン（Ｃ／Ｐボタン２２や停止ボタン２６Ｌ，２６Ｃ，２６Ｒ）や基板類及び主制御回路７１（図３）との間で各種の信号を配線ケーブルを
使用して中継する機能を備えている。ここで、このドア中継基板６０を内部に収納した基板ケース７０の構成は、本発明の特徴部分であるため構成についての詳細は、後述する。
【００３１】
また、メインリール１０が取り付け固定されている片側（図２の左側）には、メダルセレクタ５０と、このメダルセレクタ５０の下部に設けたキャンセルシュータ５１とが設けられており、さらに、キャンセルシュータ５１の下流端には、キャンセルシュート５２が接続されている。メダルセレクタ５０及びキャンセルシュート５２は、前面ドア４の裏面部に取り付け固定されている。
【００３２】
メダルセレクタ５０は、メダル投入口２１から投入されたメダルが、メダルセレクタ５０の内部に形成されたメダル通路（図示せず）を通過する際に、メダルの真偽を判別し、正規メダルと判別されたメダルをカウントするとともに、メダルセレクタ５０の排出側に接続しているホッパー５３（図３）に貯留する。
【００３３】
一方、不正メダルと判別したメダルは、メダルセレクタ５０の下方に設けたキャンセルシュータ５１を通じて、キャンセルシュート５２の内部に落下させる機能を備えている。
【００３４】
キャンセルシュート５２は、メダルセレクタ５０のキャンセルシュータ５１を通じて排出され落下したメダル（不正メダル）或いは、ホッパー５３から払い出されるメダルをメダル払出口２３ａからメダル受け部２３ｂに返却したり払い出す機能を備えている。
【００３５】
また、このメインリール１０が配設されている前面ドア４の上部位置には、遊技状態に応じて各種の演出を行なうための演出用の第１サブリール３０を配置するための開口枠部８が形成されている。この開口枠部８には、第１サブリール３０を構成する複数のリール３１Ｌ，３１Ｃ，３１Ｒを視認するための３つの開口部９Ｌ，９Ｃ，９Ｒが形成されている。なお、この第１サブリール３０はキャビネット３側の所定位置（図３）に配置されている。
【００３６】
第１サブリール３０は、複数種類の図柄（図示せず）が各々の外周面に描かれた３個のリール３１Ｌ，３１Ｃ，３１Ｒが回転自在に並列状態（横一列）で設けられ、これら、各リール３１Ｌ，３１Ｃ，３１Ｒを縦方向に向けて正回転或いは逆回転することで、遊技時の演出を行なう。
【００３７】
また、第１サブリール３０の片側位置（図１の左側）には、上からボーナス遊技情報表示部２８、ＢＥＴランプ２７ａ，２７ｂ，２７ｃ、クレジット表示部２９ａと払出表示部２９ｂとが設けられている。ボーナス遊技情報表示部２８は、７セグメントＬＥＤにより形成されておりボーナス中の遊技情報を表示する。
【００３８】
ＢＥＴランプ２７ａ〜２７ｃは、１ゲームを行なうために賭けられたメダル数（以下「ＢＥＴ数」と言う）に応じて点灯するランプであり、具体的には、ＢＥＴランプ２７ａは、ＢＥＴ数が３のときに点灯し（５本全部の表示ラインが有効化）、ＢＥＴランプ２７ｂはＢＥＴ数が２以上である場合に点灯し（３本の表示ラインが有効化）、ＢＥＴランプ２７ｃはＢＥＴ数がはＢＥＴ数が１以上である場合に点灯する（１本の表示ラインが有効化）。
【００３９】
クレジット表示部２９ａと払出表示部２９ｂは、それぞれ７セグメントのＬＥＤにより形成され、このクレジット表示部２９ａにはクレジットされている残メダル枚数が表示され、払出表示部２９ｂには入賞が成立した時のメダルの払出枚数が表示される（払い出されるメダル数）。通常は、パチスロ機１にクレジットされる最大枚数は５０枚であるので、このクレジット表示部２９ａに表示されるクレジット枚数は５０以下となる。なお、最
大枚数の５０枚のメダルがクレジットされている状態で、メダルを投入してもそのまま払い出される。
【００４０】
また、第１サブリール３０が設けられた前面ドア４の上部位置には、上部装飾ランプ（図示せず）を覆う上部装飾ランプカバー１ｂが配設されるとともに、この上部装飾ランプカバー１ｂの下方中央には、矩形状に形成された横長開口部１６が設けられている。
【００４１】
そして、この横長開口部１６の内側には、第１サブリール３０と同様に、遊技状態に応じて各種の演出を行なうための第２サブリール４０が配置されている。第２サブリール４０は横長円筒状のリールドラム４１から構成され、このリールドラム４１は、駆動モータ(図示せず)の回転により図１中の左右方向に回転可能に設けられている。
【００４２】
また、このリールドラム４１の外周面には、複数種類（６種類）の図柄(図示せず)が描かれ、この図柄は、横長開口部１６を通して視認できるようになっている。また、この第２サブリール４０の各図柄と対応する位置には、リールドラム４１を裏側から照らすＬＥＤランプが配置されている。
【００４３】
上述の様に構成される第２サブリール４０は、リールドラム４１の４箇所のフランジ部４１ａに形成された通孔を挿通させた取り付けネジ(図示せず)を、前面ドアベース板３ａに形成したネジ孔に螺合させることで、前面ドア４に対して固定されている。このように、前面４の裏面側から取り付けられた第２サブリール４０は、横長開口部１６からリールドラム４１の外周面に表された図柄列が視認できる状態となる。さらに、この第２サブリール４０の両側には、遊技時の演出に関する効果音や音声などによる演出音を出力するスピーカ１７Ｌ，１７Ｒが配置されている。
【００４４】
また、図１に示すように、メインリール１０のリール窓枠体６が設けられている台座部２０の右側位置には、メダルを投入するためのメダル投入口２１が設けられており、その前面位置には、Ｃ／Ｐボタン２２が設けられている。メダル投入口２１は、遊技者によりメダルが投入される開口で、このメダル投入口２１から投入されたメダルは、クレジットされるか又はゲームに賭けられる。
【００４５】
Ｃ／Ｐボタン２２のＯＮ操作（押下）により遊技者がゲームで獲得したメダルをクレジットするか、クレジットしたメダルを払い出すかを切り換えることができる。具体的には、所定枚数のメダルがクレジットされた状態でＣ／Ｐボタン２２が押下されると、クレジットが無効化され該クレジットされた枚数分のメダルはメダル払出口２３ａに払い出され、この払い出されたメダルはメダル受け部２３ｂに投出される。また、クレジットが無効化された状態でこのＣ／Ｐボタン２２が押下されると、クレジットが有効となる。
【００４６】
また、台座部２０の左側には、クレジットされているメダルを賭けるための１−ＢＥＴボタン２４ａと２−ＢＥＴボタン２４ｂとＭＡＸＢＥＴボタン２４ｃとが設けられている。１−ＢＥＴボタン２４ａは、メダルの１枚賭けを、２−ＢＥＴボタン２４ｂは、メダルの２枚賭けを行なうためのボタンであり、ＭＡＸＢＥＴボタン２４ｃは、いわゆる最大枚数用のＭＡＸＢＥＴボタンであり、１回の押下操作によりクレジットされたメダルから１ゲームに賭け得る最大枚数のメダル（通常は３枚）が賭けられる。かかるＭＡＸＢＥＴボタン２４ｃを押下操作するか若しくは３枚のメダルがメダル投入口２１に投入されると、５本全ての表示ラインが有効化される。
【００４７】
台座部２０の前面部の左側には、遊技者の操作によりメインリール１０の各リール１１Ｌ，１１Ｃ，１１Ｒを回転駆動させ、窓枠表示領域７Ｌ，７Ｃ，７Ｒ内での図柄の変動表示を開始させるスタートレバー２５が所定の角度範囲で回動自在に取り付けられている。
【００４８】
また、台座部２０の前面部中央で、スタートレバー２５の右側には、３個のリール１１Ｌ，１１Ｃ，１１Ｒの回転をそれぞれ停止させるための３個の停止ボタン２６Ｌ，２６Ｃ，２６Ｒが設けられている。なお、１ゲーム（単位遊技）は、スタートレバー２５が操作されることによって開始され、全てのリール１１Ｌ，１１Ｃ，１１Ｒが停止したときに終了する。
【００４９】
各停止ボタン２６Ｌ，２６Ｃ，２６Ｒの裏側には、後述するように停止スイッチ２６ＬＳ，２６ＣＳ，２６ＲＳ(図１０)が設けられている。これらの停止スイッチ２６ＬＳ，２６ＣＳ，２６ＲＳは、対応する各停止ボタン２６Ｌ，２６Ｃ，２６Ｒの操作（停止操作）を検知する。
【００５０】
次に、図３を参照して、キャビネット３の内部構成を説明する。図３は、キャビネット３の内部構成を示す側面図である。図３に示すように、キャビネット３の上部位置には、主制御回路７１と副制御回路７２とがそれぞれ取り付け固定されている。また、このキャビネット３のほぼ中央位置には、第１サブリール３０が配置され、この第１サブリール３０の下側には、遊技に応じて所定枚数のメダルを払い出すホッパー５３が設けられている。
【００５１】
このホッパー５３は、メダルを貯留するホッパータンク５３ａと、このホッパータンク５３ａに貯留されたメダルを排出するホッパー本体５３ｂとを有している。また、このホッパー本体５３ｂの内部には、メダル排出機構（図示せず）が設けられており、パチスロ遊技による遊技結果に応じて払い出されるメダルを排出ノズル（図示せず）を通じてキャンセルシュート５２（図２）の内部に排出するように構成されている。
【００５２】
なお、ホッパー本体５３ｂの排出ノズルから排出されたメダルは、キャンセルシュート５２から前面ドア４の下方部に開口したメダル払出口２３ａを介して、メダル受け部２３ｂに払い出される。また、キャビネット３の底部には、キャビネット３内の各電気部品などに電力を供給する電源部(図示せず)が設けられている。
【００５３】
［基板ケース７０の構成及び特徴］
ここで、本実施例１におけるパチスロ機１では、パチスロ機１の本体内部に設けている各種の基板を対象として、この基板に設けられたコネクタの上部位置及び周囲を覆うことにより、この基板に取り付けられたコネクタに対する抜き差しや付け替え或いは、不正用の基板の取り付けなどの不正行為を防止する基板ケース７０の構成に特徴がある。
【００５４】
このため、以下の説明では、この基板ケース７０の構成及び特徴について詳細に説明する。また、基板ケース７０の内部に収納される基板の一例として、ドア中継基板６０を例として説明する。また、ドア中継基板６０の基板上には、８個のコネクタ（ＣＮ６１〜ＣＮ６８）及び１個の幅広のメインＣＮ６９が固設されている例を説明する。なお、このドア中継基板６０に設けた幅広のメインＣＮ６９は、主制御回路７１に対して配線ケーブルを接続する重要なコネクタとして使用されるコネクタである。
【００５５】
図４は、内部にドア中継基板６０を設けた基板ケース７０（上板ケース８０と下板ケース９０）の分解斜視図を、図５は、基板ケース７０の内部にドア中継基板６０を収納し、組み付けた状態の斜視図をそれぞれ示している。また、図６は、封印部材Ｐを取り付けた基板ケース７０の斜視図を示している。また、図７は、図６の基板ケース７０の横断面図を示している。
【００５６】
すなわち、ドア中継基板６０は、基板ケース７０の内部に収納された状態で、メダルセ
レクタ５０及びキャンセルシュータ５１（図３）に隣接した位置に配設され、複数の操作ボタン（Ｃ／Ｐボタン２２や停止ボタン２６Ｌ，２６Ｃ，２６Ｒ）や基板類及び主制御回路７１（図３）との間で各種の信号を配線ケーブルを使用して中継する機能を備えており、このドア中継基板６０には、上述したように、主制御回路７１に接続されるメインＣＮ６９及び複数のコネクタ（ＣＮ６１〜ＣＮ６８）とリセットスイッチＳＷ１、精算スイッチＳＷ２及び打ち止めスイッチＳＷ３とが設けられている。
【００５７】
リセットスイッチＳＷ１は、エラーの解除（リセット）を行なう場合や設定変更時に使用されるスイッチである。また、精算スイッチＳＷ２は、メダルの払い出し枚数などを精算するスイッチである。また、打ち止めスイッチＳＷ３は、払い出し枚数の上限枚数を設定するスイッチである。
【００５８】
また、図４及び図５に示すように、基板ケース７０は、長尺状の略箱型に形成されるとともに、ドア中継基板６０を内部に収納した状態で、このドア中継基板６０の上下に配置される上板ケース８０及び下板ケース９０とを組み付けることにより構成されている。ここで、本実施例１では、上板ケース８０及び下板ケース９０の一端側（図４、５の左側）は、封印部材Ｐ（図６）を使用して、これら両ケース８０、９０の接合部８６、９５同士を締結により固定し、上板ケース８０及び下板ケース９０とが接合する他端側（図４、５の右側）には、これら両ケース８０、９０を開閉自在に支持する開閉支持機構９９を備えることに特徴がある。
【００５９】
すなわち、図４、５に示すように、上板ケース８０は、内部に収納するドア中継基板６０の形状に合わせて長尺状の略箱型に成形されるとともに、天板部８０ａと横方向に位置する側板部８０ｂと縦方向に位置する側板部８０ｃとにより構成されている。また、上板ケース８０の天板部８０ａには、上方に突出するとともに箱形状に形成された覆い部８１が固設され、この覆い部８１は、Ｌ字状に形成された天板部８１ａと、３箇所の段部８２ａ、８２ｂ、８２ｃとがそれぞれ形成された側板部８２とから構成されている。同図に示すように、この覆い部８１は、メインＣＮ６９の直上位置及びメインＣＮ６９の周囲を覆うように形成されているため、この覆い部８１によりメインＣＮ６９に接続されている配線ケーブルに対する不正を目的とした抜き差しや差し換えを防止することができる。
【００６０】
また、覆い部８１を構成する側板部８２には、幅広状に形成された開口部８３と長尺状に形成された開口部８４ａと開口部８４ｂとがそれぞれ設けられている。このうち、開口部８３は、ドア中継基板６０に設けられたメインＣＮ６９が配設された位置と離隔する位置（図４の左側）に形成されており、この開口部８３は、メインＣＮ６９に接続された配線ケーブルを引き出すための開口として機能する。
【００６１】
すなわち、ドア中継基板６０のメインＣＮ６９に接続された配線ケーブルの引き出し口は、この側板部８２の一部に形成された開口部８３のみとなるため、このメインＣＮ６９から延出される配線ケーブルの引き出し口を限定することができ、これによって、主制御回路７１に接続するために引き出される配線ケーブルのバラツキを防止できる構成としている。
【００６２】
実際には、メインＣＮ６９に接続された配線ケーブルは、後述する下板ケース９０に設けられた係止片９４により保持されるとともに、開口部８３に沿って引き出され主制御回路７１に向けて配線接続されることとなる。
【００６３】
また、開口部８４ａは、ドア中継基板６０に固設された７個のコネクタ（ＣＮ６１〜ＣＮ６７）に、開口部８４ｂは、１個のコネクタ（ＣＮ６８）に対してそれぞれ接続される各配線ケーブルに対する開口として形成されている。このうち開口部８４ａは、ドア中継
基板６０に配設されているコネクタ（ＣＮ６１〜ＣＮ６７）の挿入方向及び取り外し方向と略直交位置となる方向に向けて形成されている。
【００６４】
また、天板部８０ａの他端側（図４、５の右側）には、ドア中継基板６０に固設された精算スイッチＳＷ２及び打ち止めスイッチＳＷ３をそれぞれ作動及び設定するための開口として機能する開口部８４ｃが形成されている。
【００６５】
また、側板部８２に形成された開口部８３と隣接する位置及び開口部８４ｂの両端部側には、それぞれ内方に段部を有する係止爪８９ａ及び一対の係止爪８９ｂ、８９ｃとが設けられ、これら３箇所の係止爪８９ａ、８９ｂ、８９ｃは、上板ケース８０と下板ケース９０との組み付け時に、下板ケース９０の側板部９１ａの上端縁と係止することで、両ケース８０、９０の側板部８０ｂ、９１ａ同士を組み付ける機能を備えている。
【００６６】
また、上板ケース８０を構成する天板部８０ａの一端側（図４、５の左側）には、矩形状の開口部８５と一対の通孔８７とがそれぞれが形成され、このうち開口部８５の開口縁には、貫通孔８６ａを有するコ字形に形成された接合部８６が固設されている。この開口部８５の一部（隙間）は、上板ケース８０と下板ケース９０との組み付け時に、下板ケース９０の下板部９１に固設された接合部９５を通過させる開口として機能する。
【００６７】
また、同じく、上板ケース８０と下板ケース９０との組み付け時に、一対の通孔８７は、下板ケース９０の下板部９１に固設された一対の取り付け片９６を通過させるとともに、この取り付け片９６の先端部に形成された係合爪部９７と係合するようになっている。
【００６８】
これら上板ケース８０の接合部８６に形成された貫通孔８６ａ及び下板ケース９０の接合部９５に形成された貫通孔９５ａは、両ケース８０、９０を組み付けた時に、これら両ケース８０、９０の他端側(図４、５)を封印部材Ｐ（図６）により締結させるための取り付け口として形成されている。
【００６９】
すなわち、上板ケース８０と下板ケース９０とを組み付けた場合、下板ケース９０に設けられた接合部９５は、上板ケース８０の天板部８０ａに形成された開口８５を通過し、上板ケース８０の接合部８６と接合する。この時、両接合部８６、９５にそれぞれ形成された貫通孔８６ａ、９５ａとが一致することとなる。
【００７０】
そして、図６に示すように、両接合部８６、９５のそれぞれの貫通孔８６ａ、９５ａに封印部材Ｐのベルト部を挿通させ、この封印部材Ｐにより両接合部８６、９５同士を締結することで、上板ケース８０及び下板ケース９０の一端側(図４、５の左側)を締結することとしている。
【００７１】
図６に示すように、封印部材Ｐは、封印方向（締結方向である図６のＡ方向）に対しては、ベルト部の挿入が可能であり、引き抜き方向（緩める方向である図６のＢ方向）に対しては、引き抜きを阻止する構造となっているため、この封印部材Ｐによって締結を行なった場合、この封印部材Ｐは、工具を使用して切断することとなる。このように、上板ケース８０と下板ケース９０との組み付け時に、上板ケース８０及び下板ケース９０の一端側(図６の左側)に位置する接合部８６、９５同士を封印部材Ｐにより締結固定することでドア中継基板６０に設けられたメインＣＮ６９に対する抜き差しや付け替えなどの不正行為を防止することができる。
【００７２】
また、例えば、第三者が封印部材Ｐを工具を使用して切断し、上板ケース８０と下板ケース９０との組み付けを外し、内部のドア中継基板６０に対する不正行為を行なった場合には、封印部材Ｐの切断という不正行為の痕跡を残すこととなり、これにより、不正行為
があったことを容易に発見することができる。
【００７３】
また、上板ケース８０を構成する側板部８０ｃの他端側（図４、５の右側）には、上側に向けて湾曲する形状に形成された一対の回動爪部８８と、これら回動爪部８８の間に形成された係止部９９ａとが固設されており、このうち一対の回動爪部８８は、下板ケース９０を構成する側板部９１ｂの他端側（図４、５の右側）に固設された一対の回動支持部９８とともに、開閉支持機構９９を構成している。なお、この開閉支持機構９９についての詳細は後述する。また、係止部９９ａは、上板ケース８０及び下板ケース９０との組み付け時に、上板ケース８０の側板部８０ｃと係止することで組み付けを行なう。
【００７４】
また、図４及び図５に示すように、下板ケース９０は、上板ケース８０と同様に長尺状に成形され、下板部９１及びこの下板部９１の横方向に位置する側板部９１ａと縦方向に位置する側板部９１ｂとにより構成され、この下板部９１の一部には横長形状に構成された凹板部９２が形成されている。同図に示すように、この凹板部９２が形成された位置にドア中継基板６０が取り付け固定される。従って、上板ケース８０及び下板ケース９０との組み付け時は、このドア中継基板６０が取り付け固定された下板ケース９０に対して上板ケース８０が組み付けられることとなる。
【００７５】
また、下板部９１の凹板部９２の片側(図４の左側)には横長矩形状の開口部９３が形成され、この開口部９３の開口縁には、一端側(図４、５の左側)に向けて先端部が延出するように形成された係止片９４が固設されている。この係止片９４は、上板ケース８０と下板ケース９０とが組み付けられた状態では、覆い部８１の内部であって、開口部８３の形成位置とほぼ一致する位置に配設される(図５)。
【００７６】
すなわち、この係止片９４は、ドア中継基板６０に設けられたメインＣＮ６９から延出された配線ケーブルをまとめた状態で係止するとともに、この配線の向きを任意の方向に向けることができる。これによって、配線の引き回しを効率的にまとめることができ、配線のレイアウトが乱雑となることを防止する機能を備えている。
【００７７】
また、下板ケース９０を構成する側板部９１ｂの他端側（図６，７の右側）には、内方に貫通孔９８ａが形成された一対の回動支持部９８が固設されている。前述したように、これら一対の回動支持部９８に形成された貫通孔９８ａには、上板ケース８０を構成する他端側（図６の右側）の側板部８０ｃに固設された一対の回動爪部８８が嵌入することで、開閉支持機構９９を構成している。
【００７８】
そして、図６，図７に示すように、これら上板ケース８０及び下板ケース９０とが組み付けられた状態では、上板ケース８０の一対の回動爪部８８は、下板ケース９０の一対の回動支持部９８の貫通孔９８ａに対して嵌入するように構成されている。
【００７９】
図８は、上板ケース８０と下板ケース８０との組み付け状態を開放した図を示している。同図に示すように、メンテナンスなどによりドア中継基板６０に設けられたメインＣＮ６９の取り外し作業などを実施する場合、上板ケース８０と下板ケース９０との組み付けを外すこととなるが、この場合には、先ず、工具などを使用して、封印部材Ｐを切断により取り外し、上板ケース８０の覆い部８１を指などで持ち、この上板ケース８０を上に持ち上げるだけで、上板ケース８０に形成された一対の回動爪部８８は、下板ケース９０に固設された一対の回動支持部９８の通孔９８ａに沿って回動することととなり、これにより、上板ケース８０と下板ケース９０の一端側（図８の左側）が開放するため、上板ケース８０及び下板ケース９０との組み付けを開放させることができる。
【００８０】
以上説明したように、上板ケース８０及び下板ケース９０の他端側（図６、７の右側）
には、これら上板ケース８０及び下板ケース９０を開閉自在に支持する回動爪部８８及び回動支持部９８とを有する開閉支持機構９９を設けることにより、作業員がメンテナンスなどを実施する場合に、上板ケース８０及び下板ケース９０の一端側（図６、７の左側）の両接合部８６、９５とを締結固定している封印部材Ｐを取り外すという作業だけで、上板ケース８０及び下板ケース９０の組み付けを容易に開放できる構成としている。
【００８１】
[ドア中継基板６０による配線レイアウト]
図９は、ドア中継基板６０のメインＣＮ６９及びＣＮ６１〜ＣＮ６８に接続される配線ケーブル及び配線レイアウトの一例を示す説明図である。
【００８２】
図９に示すように、ドア中継基板６０に設けられたメインＣＮ６９に接続された配線ケーブルは、天板部８０ａの上部に形成された覆い部８１の内部を迂回した状態で、この配線ケーブルは下板ケース９０に設けられた係止片９４に保持された状態で、開口部８３の開口に沿って引き出され、主制御回路７１に向けて配線されることとなる。
【００８３】
また、同図に示すように、ドア中継基板６０に配線接続される電気部品として、停止ボタン２６Ｌ，２６Ｃ，２６Ｒ、ＢＥＴボタン２４ａ，２４ｂ，２４ｃ、Ｃ／Ｐボタン２２、メダルセレクタ５０、スタートレバー２５を例に説明すると、このうち、ドア中継基板６０に設けられたＣＮ６４には、停止ボタン２６Ｌ，２６Ｃ，２６Ｒに接続された配線ケーブルが、ＣＮ６５には、ＢＥＴボタン２４ａ，２４ｂ，２４ｃに接続された配線ケーブルが、ＣＮ６６には、Ｃ／Ｐボタン２２に接続された配線ケーブルが、ＣＮ６７には、メダルセレクタ５０に接続された配線ケーブルが、ＣＮ６８には、スタートレバー２５に接続された配線ケーブルがそれぞれ接続されることとなる。
【００８４】
[パチスロ機１の内部構成]
続いて、図１０を用いて、図１に示したパチスロ機１の内部構成について説明する。図１０は、実施例１に係るパチスロ機１の全体回路構成を示すブロック図である。
【００８５】
すなわち、図１０に示すように、このパチスロ機１を構成する電気回路は、パチスロ機１の遊技処理動作を制御する主制御回路７１と、この主制御回路７１に電気的に接続される周辺装置（アクチュエータ）と、主制御回路７１から送信される制御指令に基づいて第１サブリール３０と第２サブリール４０による回転駆動、スピーカ１７Ｌ，１７Ｒ、ＬＥＤ類２０１及びランプ類２０２を制御する副制御回路７２と、主制御回路７１に対して配線ケーブルにより電気的に接続されるドア中継基板６０とが含まれる。ドア中継基板６０には、停止スイッチ２６ＬＳ、２６ＣＳ、２６ＲＳ、スタートスイッチ２５Ｓ、メダルセンサ２１Ｓ、ＢＥＴスイッチ２４ａＳ、２４ｂＳ、２４ｃＳ、Ｃ／Ｐスイッチ２２Ｓなどの各スイッチ類が配線ケーブルにより電気的に接続されている。
【００８６】
主制御回路７１は、回路基板上に配置されたマイクロコンピュータ６０を主たる構成要素とし、これに乱数サンプリングのための回路を加えて構成されている。マイクロコンピュータ６０は、予め設定されたプログラムに従って制御動作を行なうＣＰＵ６１と、記憶手段であるＲＯＭ６２及びＲＡＭ６３とを有する。
【００８７】
ＣＰＵ６１には、基準クロックパルスを発生するクロックパルス発生回路６４及び分周器６５と、サンプリングされる乱数を発生する乱数発生器６６及びサンプリング回路６７とが接続されている。なお、マイクロコンピュータ６０内のＣＰＵ６１上で乱数サンプリング用プログラムを実行してソフトウエア的に乱数サンプリングを行なうこともできる。この場合、乱数発生器６６及びサンプリング回路６７を省略することができる。
【００８８】
マイクロコンピュータ６０のＲＯＭ６２には、スタートレバー２５を操作（スタート操
作）する毎に行われる乱数サンプリングの判定に用いられる内部抽籤テーブルや停止用当籤役決定テーブル、停止ボタン２６Ｌ，２６Ｃ，２６Ｒの操作に応じてリールの停止態様を決定するための停止テーブル群等が格納されている。
【００８９】
また、このＲＯＭ６２には、副制御回路７２へ送信するための各種制御指令等が格納されている。ここで、副制御回路７２が主制御回路７１へ制御指令や情報等を入力することはなく、主制御回路７１から副制御回路７２への一方向で通信が行われる。ＲＡＭ６３には、内部当籤役、持越役等の種々の情報が格納される。
【００９０】
乱数発生器６６は、一定の数値範囲に属する乱数を発生し、サンプリング回路６７は、スタートレバー２５が操作された後の適宜のタイミングで乱数をサンプリングする。こうしてサンプリングされた乱数を使用することにより、例えばＲＯＭ６２内に格納されている内部抽籤テーブル等に基づいて内部当籤役等が決定される。
【００９１】
マイクロコンピュータ６０からの制御信号により動作が制御される主要なアクチュエータとしては、ＢＥＴランプ（１−ＢＥＴランプ２７ａ、２−ＢＥＴランプ２７ｂ、ＭＡＸＢＥＴランプ２７ｃ）と、ボーナス遊技情報表示部２８、クレジット表示部２９ａ、払出表示部２９ｂ等の表示部と、メダルを収納し後述するホッパー駆動回路７８の命令により所定枚数のメダルを払出すホッパー（払出しのための駆動部を含む）５３と、メインリール１０の各リール１１Ｌ，１１Ｃ，１１Ｒを回転駆動する駆動モータ（ステッピングモータ）１８Ｌ，１８Ｃ，１８Ｒとがある。
【００９２】
また、ＢＥＴランプ２７ａ，２７ｂ，２７ｃを駆動制御するランプ駆動回路７６並びにボーナス遊技情報表示部２８、クレジット表示部２９ａ、払出表示部２９ｂ等の表示部を駆動制御する表示部駆動回路７７、ホッパー５３を駆動制御するホッパー駆動回路７８がＣＰＵ６１の出力部に接続されている。これらの駆動回路は、それぞれＣＰＵ６１から出力される駆動指令等の制御信号を受けて、各アクチュエータの動作を制御する。
【００９３】
また、マイクロコンピュータ６０へは、スタートスイッチ２５Ｓ、停止スイッチ２６ＬＳ，２６ＣＳ，２６ＲＳ、ＢＥＴスイッチ２４ａＳ，２４ｂＳ，２４ｃＳ、Ｃ／Ｐスイッチ２２Ｓ、メダルセンサ２１Ｓ、リール位置検出回路７４、払出完了信号回路７９から入力信号が入力され、これらに基づいて制御指令が発生される。
【００９４】
メダル検出部５３Ｓは、ホッパー５３から払い出されるメダルの枚数を計数し、その計数値が指定された枚数データに達した時に、払出完了信号回路７９からＣＰＵ６１にメダル払出完了信号が送信される。この払出完了信号回路７９は、メダル検出部５３Ｓの計数値（ホッパー５３から払出されたメダルの枚数）が指定された枚数データに達した時にメダル払出完了を示す信号を発生する。
【００９５】
リール位置検出回路７４は、リール回転センサからのパルス信号を受けて、メインリール１０を構成する各リール１１Ｌ，１１Ｃ，１１Ｒの位置を検出するための信号をＣＰＵ６１へ供給する回路である。
【００９６】
スタートスイッチ２５Ｓは、スタートレバー２５の操作を検出するスイッチであり、メダルセンサ２１Ｓは、メダル投入口２１に投入されたメダルを検出するセンサである。停止スイッチ２６ＬＳ，２６ＣＳ，２６ＲＳは、それぞれ対応する停止ボタン２６Ｌ，２６Ｃ，２６Ｒの操作に応じて停止信号を発生するスイッチである。
【００９７】
ＢＥＴスイッチ２４ａＳ，２４ｂＳ，２４ｃＳは、ＢＥＴボタン２４ａ，２４ｂ，２４ｃの背面に設けられ、これらＢＥＴボタン２４ａ，２４ｂ，２４ｃの操作に応じて信号を
発生するスイッチである。Ｃ／Ｐスイッチ２２Ｓは、Ｃ／Ｐボタン２２の背面に設けられＣ／Ｐボタン２２の操作に応じて信号を発生するスイッチである。
【００９８】
ＲＯＭ６２内には、役の成立（入賞等）となる図柄の組合せと、入賞のメダル配当枚数とが対応付けられた図柄組み合わせテーブルが格納されている。この図柄組合せテーブルは、左のリール１１Ｌ，中央のリール１１Ｃ，右のリール１１Ｒの停止制御時並びに全リール１１Ｌ，１１Ｃ，１１Ｒの停止後の入賞確認（表示役の確認）を行なう際に参照される。表示役（表示役データ）は、有効ラインに沿って並ぶ図柄組合せに対応する役（成立役）であり、遊技者にはこの表示役に対応する利益が付与される。
【００９９】
ＣＰＵ６１は、上記乱数サンプリングに基づく抽籤処理（内部抽籤処理等）により内部当籤役や停止用当籤役を決定したならば、遊技者が停止ボタン２６Ｌ，２６Ｃ，２６Ｒを操作したタイミングで停止スイッチ２６ＬＳ，２６ＣＳ，２６ＲＳから送られる操作信号並びに決定された停止テーブルに基づいて、リール１１Ｌ，１１Ｃ，１１Ｒを停止制御する信号をモータ駆動回路７５に送出する。
【０１００】
また、ＣＰＵ６１は、当籤した役の入賞を示す停止態様（即ち入賞態様）になれば、払出指令信号をホッパー駆動回路７８に供給してホッパー５３から所定個数のメダルの払出を行なう。
【０１０１】
その際、メダル検出部５３Ｓは、ホッパー５３から払出されるメダルの枚数を計数し、その計数値が指定された数に達した時にメダル払出完了信号をＣＰＵ６１に入力する。これにより、ＣＰＵ６１は、ホッパー駆動回路７８を介してホッパー５３の駆動を停止し、メダル払出処理を終了することになる。
【０１０２】
[発明の効果]
本発明によれば、ドア中継基板６０を内部に収納する基板ケース７０を構成する上板ケース８０及び下板ケース９０の一端側の接合部８６、９５同士は、封印部材Ｐを使用して締結固定し、上板ケース８０及び下板ケース９０の他端側は、開閉支持機構９９により両ケース８０、９０を支持した状態で開閉自在とする構成としたので、ドア中継基板に設けられたコネクタに対する不正を目的とした差し替えや不正用基板の取り付けなどの不正行為を防止することができる。
【実施例２】
【０１０３】
さて、これまで本発明の実施例１について説明したが、本発明は上述した実施例１以外にも、種々の異なる形態にて実施されてよいものである。すなわち、上述した実施例１では、上板ケース８０と下板ケース９０とを組み合わせた状態で他端側を開閉支持機構９９により開閉自在とし、一端側を封印部材Ｐにを使用して締結固定する構成としているが、この一端側を締結する封印部材Ｐ（締結固定部材）は、封印部材などのようなタイラップではなく、その他、構造的に締結固定を可能とするピン構造やシールの貼り付けなどの構造を採用してもよい。
【産業上の利用可能性】
【０１０４】
以上のように、本発明に係る遊技機は、基板に取り付けられたコネクタの抜き差しやコネクタを付け替えて正規の基板とは異なる基板を取り付ける不正行為を防止する基板ケースを備えた遊技機に適する。
【図面の簡単な説明】
【０１０５】
【図１】実施例１に係るパチスロ機の外観構成を示す斜視図である。
【図２】図１に示すパチスロ機の前面ドアの後側を示す図である。
【図３】キャビネットの内部構成を示す側面図である。
【図４】基板ケースを構成する上板ケース及び下板ケースと中継基板とを示す分解斜視図である。
【図５】基板ケースの全体構成を示す斜視図である。
【図６】封印部材による上板ケースと下板ケースとの締結状態を示す説明図である。
【図７】基板ケースの構成を示す横断面図である。
【図８】上板ケースと下板ケースとの組み付けを開放する状態を示す説明図である。
【図９】ドア中継基板のコネクタに接続される配線ケーブルのレイアウトの一例を説明する図である。
【図１０】パチスロ機の全体回路構成を示す機能ブロック図である。
【図１１】従来の基板ケースによるコネクタの接続形態を示す図である。
【符号の説明】
【０１０６】
１  パチスロ機
４  前面ドア
１０  メインリール
１１Ｌ，１１Ｃ，１１Ｒ，３１Ｌ，３１Ｃ，３１Ｒ  リール
２１  メダル投入口
２２  Ｃ／Ｐボタン
２５  スタートレバー
２６Ｌ，２６Ｃ，２６Ｒ  停止ボタン
３０  第１サブリール
４０  第２サブリール
４１  リールドラム
６０  マイクロコンピュータ
６１  ＣＰＵ（Central Processing Unit）
６２  ＲＯＭ（Read Only Memory）
６３  ＲＡＭ（Random Access Memory）
７０  基板ケース
７１  主制御回路
７２  副制御回路
８０  上板ケース
９０  下板ケース
９９  開閉支持機構
【図１】
2008206708.tif 000003
【図２】
2008206708.tif 000004
【図３】
2008206708.tif 000005
【図４】
2008206708.tif 000006
【図５】
2008206708.tif 000007
【図６】
2008206708.tif 000008
【図７】
2008206708.tif 000009
【図８】
2008206708.tif 000010
【図９】
2008206708.tif 000011
【図１０】
2008206708.tif 000012
【図１１】
2008206708.tif 000013